(57)【特許請求の範囲】
【請求項１】
互いに関節連結され、互いに向かって折り畳み可能な少なくとも二つのアームを有する交換可能な時計バンド用の折畳式留め金であって、該留め金を閉じた位置に保持する固定器具を設けた折畳式留め金において、
アーム（１，３）のうち一方のアーム（１）の自由端は、横断面がほぼＵ字形の断面を有するガイド（８）と、ガイド（８）の二つの側方ウイングを連結する軸（９）と、バンドの舌部（１１）の上面と共同するようになっている保持部材（１０）と、を有する、バンドの舌部（１１）の端部を固定するための装置を備え、
留め金の他方のアーム（３）の自由端は、ねじ（１２）でカバー（１４）に枢着され、カバー（１４）は、軸（１５）によって連結された側方部分（１３）を有し、
留め金のカバー（１４）は、バンドの第二の舌部（１７）の上面と共同するようになっている保持部材（１６）を有すること
を特徴とする交換可能な時計バンド用の折畳式留め金。
【発明の詳細な説明】
【０００１】
【発明の属する技術分野】
本発明は、交換可能な時計バンド用の折畳式留め金に関し、より詳しくは、革、合成材料、布等の柔軟な時計バンド用の折畳式留め金に関する。
【０００２】
【従来の技術】
ユーザが、工具なしで自分でバンドを取り替えられるようにする手段を備えた時計バンドが存在する。かくして、ユーザは、金属バンド又は革バンド又はどんな他のタイプのバンドをも時計ケースに取り付けることができる。革バンドの場合には、革バンドは、バックル又は折畳式留め金を備えているが、この革バンドの場合には、各革バンドは、このような留め金を必然的に備えていなければならない。これは、特に貴金属の品目については、この場合には、折畳式留め金も貴金属のものでなければならいので、バンドの価格を上昇させる。
【０００３】
【発明の解決しようとする課題】
本発明の目的は、交換可能な柔軟なバンドの折畳式留め金を、例えば異なる色や質感の他の柔軟なバンドにそれを取り付けるために、工具なしで、ユーザ自身で取り外すことの可能性をユーザに与えることにある。かくして、ユーザが所有する交換可能なバンドの数が何であれ、一つの折畳式留め金で済む。
【０００４】
交換可能なバンドは、例えば欧州特許出願第００１０３９５２．８号に記載されたタイプのものがよい。しかしながら、本発明は、時計ケースに道具なしでも取り外し自在に取り付けられる、あらゆる他のタイプの交換可能なバンドに等しく適用できることは明らかである。
【０００５】
【課題を解決するための手段】
本発明による交換可能な時計バンド用の折畳式留め金は、請求項１に記載の特性によって特徴づけられる。
【０００６】
すなわち、本発明の交換可能な時計バンド用の折畳式留め金は、互いに関節連結され、互いに向かって折り畳み可能な少なくとも二つのアームを有する交換可能な時計バンド用の折畳式留め金であって、該留め金を閉じた位置に保持する固定器具を設けた折畳式留め金において、アームのうち一方のアームの自由端は、横断面がほぼＵ字形の断面を有するガイドと、ガイドの二つの側方ウイングを連結する軸と、バンドの舌部の上面と共同するようになっている保持部材と、を有する、バンドの舌部の端部を固定するための装置を備え、留め金の他方のアームの自由端は、ねじでカバーに枢着され、カバーは、軸によって連結された側方部分を有し、留め金のカバーは、バンドの第二の舌部の上面と共同するようになっている保持部材を有することを特徴とする。
【０００７】
【発明の実施の形態】
添付図面は、本発明による交換可能な時計バンド用の折畳式留め金の特定の実施例を例示として概略的に示す。
【０００８】
本発明による折畳式留め金は、交換可能な時計バンドの舌部に取り付けることができるように設計されている。この取付部は、ユーザが、留め金を、工具なしで、迅速にかつ大変容易に、バンドの舌部に付けたり、バンドの舌部から取り外したりすることができるように設計されている。かくして、同じ留め金をいくつかの交換可能なバンドに役立てることができ、これは留め金が貴金属のものであるときに特に大変有利である。その上、この取付部は、バンドの長さを容易に調節すること可能性を保証する。最後に、後でわかるように、留め金をバンドの舌部に取付けたり取外したりするには、バンドの舌部の端部の操作を必要とするに過ぎず、留め金自体を機械的にいじる必要はない。
【０００９】
普通、バンドの各舌部は、その端部に留め金に連結すべき通路又は穴を有する。ねじが、この穴を貫通し、留め金の端部にねじ込まれる。バンドの各舌部を取り付けたり取り外したりするためには、ねじ回しが必要である。その上、いくつかの操作の後、ねじは、最早、バンドの舌部の振動運動の影響でねじが緩むことを回避するに、十分な力でねじ込み状態に又は止めた状態にしない。かくして、バンドが時ならぬ時に留め金から外れて、時計及びバンドの紛失をもたらすことがある。この欠点は、本発明による折畳式留め金には存在しない。図示した折畳式留め金は、両端のうちの一方で互いに関節連結された二つのアームを有する。勿論、本発明による折畳式留め金は、互いに関節連結された三つの部分を有してもよい。
【００１０】
図示した折畳式留め金は、一端がフィンガー２で終わる第一アーム１と、一端がフォーク４で終わる第二アーム３とを有する。これらアーム１，３は、フォーク４の二つの端、及び、フォークの端の間に配置されたフィンガー２の端を貫通する軸５によって、互いに結合されている。かくして、二つのアーム１，３は、それらの端のうちの一方で、互いに関節連結されている。
【００１１】
アーム３の自由端は、一方では、留め金のアーム２の他端のラグ７と共同するようになっている開口部６を有する。このラグ７とこの開口部６とにより、二つのアームを、留め金の折り畳み閉鎖位置にスナップ嵌め保持を可能にする。
【００１２】
アーム１の自由端は、横断面がほぼＵ字形を有するガイド８と、ガイド８の両側のウイングを連結するねじ又はピンによって形成された軸９と、互いの方に曲げられ、ガイドのウイングに固定され、留め金の長手方向軸線の方向に延びている舌部１０によって形成された保持部材とにより構成された、バンドの舌部の固定器具を有する。
【００１３】
かくして、ユーザは、バンドの舌部１１の端部を軸９と互いの方へ延びたガイド８の舌部１０との間に導入することができ、ついで、この舌部１１の端部を１８０°反転させて、それを軸９とＵ字形のガイド８の背面部分との間に通す。バンドの長さは、舌部１１の反転部分の長さを決めることによって調節することができる。かくして、バンドの舌部１１は、その位置が軸９、ガイド８の背面部分、及び、互いの方に延びる舌部１０によって留め金に結合保持される。
【００１４】
他方のアーム３の自由端は、ねじ１２によって留め金のカバー１４の側方部分１３に関節連結されている。軸１５は、カバー１４の二つの側方部分１３を連結する。カバー１４の上部分は、バンドの舌部１７の方向に延びる、バンドのための保持部材１６を有する。
【００１５】
ユーザは、バンドの舌部１７の端部をカバーの保持部材１６の間に通し、それを軸１５の回りに１８０°曲げて、この舌部１７を留め金のカバーに固定する。
【００１６】
図からわかるように、バンドの舌部１１及び１７の端部は、二つに折り畳まれたときに、それがバンド自身の厚さにほぼ等しい厚さを有するように、薄くつくられている。
【００１７】
勿論、バンドは、時計ケースに取り付けられる前に、その二つの端に、例えば欧州特許出願第００１０３９５２．８号に開示されたタイプの、工具を必要としない急速固定装置を有している。
【００１８】
【発明の効果】
かくして、ユーザは、好きなときにバンドを取り替えることができ、時計ケースへの交換可能な結合は、工具を必要としない前記迅速固定装置により保証されており、かくして、本出願に記載したように、新しい革バンドを留め金に適合させることができる。ユーザは、例えば貴金属のこともある時計及び留め金を保持することができ、バンドを工具なしで容易かつ迅速に自分で取り替えることができる。
【００１９】
この留め金はまた、バンドの二つの舌部が等しく、バンドの生産を簡単化かつ合理化することができる利点を有する。
【００２０】
最後に、バンドの長さの調節がバンドの二つの舌部によって行われることにより、ユーザは、留め金が手首の中央に置かれ常に時計の反対側に位置するように、バンドをいつでも調節することができる。
【図面の簡単な説明】
【図１】折畳式留め金が閉じた状態にある、本発明による折畳式留め金を備えた時計バンドの部分平面図である。
【図２】図１のＡ−Ａ線における断面図である。
【図３】折畳式留め金が閉じた状態であり、バンドに取り付けられた折畳式留め金の斜視図である。
【図４】開いた位置での折畳式留め金単独の上方から見た平面図であって、特定の部分を断面で見せている図である。
【図５】開いた位置での折畳式留め金単独のを下方から見た平面図である。
【符号の説明】
１  アーム
２  フィンガー
３  アーム
４  フォーク
５  軸
６  開口部
７  ラグ
８  ガイド
９  軸
１０  保持部材又は舌部
１１  舌部
１２  ネジ
１３  側方部分
１４  カバー
１５  軸
１６  保持部材
１７  第二の舌部
【図１】
0003735299.tif 000002
【図２】
0003735299.tif 000003
【図３】
0003735299.tif 000004
【図４】
0003735299.tif 000005
【図５】
0003735299.tif 000006